(57)【要約】【課題】  前部床面４と該前部床面４よりも高くなった後部床面３とが立ち上がり部５を介して連なり、後部床面３に後部シート１が設けられ、その後方が荷物収容部２に形成された車両の後部シート構造において、簡単な操作で後部シート１を格納位置に格納して車体後部の荷物収容部２を拡大する。【解決手段】  シートバック７を移動させるに伴い、リンク部材１０，１０をシートクッション６下の後部床面３における車幅方向の軸を中心に回動させ、このリンク部材１０，１０によって又はシートバック７の下端部によって、使用位置にあるシートクッション６をその後端を押して起きあがらせるように、立ち上がり部５に設けた車幅方向の軸を中心に回動させ、シートクッション６を前部床面４上に起立させると共に、それに重なるようにシートバック７を起立させて格納させる。【選択図】図１
2005170204.tif 000002
【特許請求の範囲】
【請求項１】
前部床面と該前部床面よりも高くなった後部床面とが立ち上がり部を介して連なり、上記前部床面にシートが設けられ、その後方の上記後部床面に後部シートが設けられ、該後部床面の後部シート後方が荷物収容部に形成された車両の後部シート構造であって、
シートクッションと、
上記シートクッションとは独立して設けられたシートバックと、
上記シートクッションが上記後部床面に横たわった使用位置と、後部が起きあがって上記前部床面上で起立した格納位置とに移動するように、該シートクッションの前端を上記前部床面又は立上り部に車幅方向の軸によって回動可能に支持する支持部材と、
一端が上記後部床面に、他端が上記シートバックの背面にそれぞれ車幅方向の軸によって回動自在に連結され、該シートバックを上記シートクッションの後端で起立した使用位置と、格納位置にある上記シートクッションに重なるように上記前部床面上で起立した格納位置とに移動自在に支持するリンク部材とを備え、
上記シートバックが使用位置から格納位置に移動するときに、使用位置にある上記シートクッションがその後端を上記リンク部材又はシートバックによって押されて起きあがるように、上記リンク部材は、その一端が使用位置にあるときの上記シートクッション下の上記後部床面に連結され、該シートクッションの下方から後方へ延び使用位置にある上記シートバックの背面側で立ち上がっていることを特徴とする車両の後部シート構造。
【請求項２】
請求項１の車両の後部シート構造において、
使用位置にある上記シートバックの背面側から上記リンク部材を覆うボードを備え、
上記ボードは、上記シートバックが使用位置から格納位置に移動したときに、上記後部床面上の上記リンク部材を覆うように前方へ倒れて荷積み面の一部を形成するように、上記シートバック下端近傍の上記後部床面に車幅方向の軸によって回動自在に支持されていることを特徴とする車両の後部シート構造。
【請求項３】
請求項１又は２の車両の後部シート構造において、
上記使用位置において、上記シートクッション下面と上記リンク部材との間に該シートクッションの後端部側を上方へ付勢する付勢手段が設けられていることを特徴とする車両の後部シート構造。
【請求項４】
請求項３の車両の後部シート構造において、
上記付勢手段は、一端がリンク部材に結合され、他端は使用位置のシートクッション下面に離脱可能に当接し、シートバックをシートクッションと共に格納位置に移動させたとき、シートクッションから離れ、反転したリンク部材と後部床面との間に挟まれてリンク部材を上方へ付勢した状態になることを特徴とする車両の後部シート構造。
【発明の詳細な説明】
【技術分野】
【０００１】
本発明は、シートクッションとシートバックとを備え、車体後部の荷物収容部よりも前方に配設された車両の後部シート構造に関し、特に、乗員が着座可能な使用位置と、上記荷物収容部を拡げる格納位置とで切換可能な車両の後部シート構造に関するものである。
【背景技術】
【０００２】
従来より、この種の車両の後部シート構造として、使用位置から格納位置とするときに、シートクッションをその前端部を中心として前方へ反転させた後、シートバックからヘッドレストを取り外して該シートバックをその下端部を中心として前倒させ、シートクッションの裏面とシートバックの背面とで略面一な荷積み面を形成するものが知られている（例えば、特許文献１参照）。この構造により、車両後部において荷物収容部の拡大が図られ、荷物の出し入れが容易となる。
【特許文献１】特開２０００−１２７８２０号公報
【発明の開示】
【発明が解決しようとする課題】
【０００３】
しかしながら、上記従来の車両の後部シート構造では、シートクッションの反転を行う操作と、ヘッドレストを取り外す操作と、シートバックを前倒させる操作との３段階の操作を行わなければ後部シートを格納できず、操作が煩雑であるという問題があった。
【０００４】
本発明は、かかる点に鑑みてなされたものであり、その目的とするところは、後部シートの構造に工夫を加えることにより、簡単な操作で後部シートを格納位置に格納して車体後部の荷物収容部を拡大できるようにすることにある。
【課題を解決するための手段】
【０００５】
上記の目的を達成するために、この発明では、シートバックの移動に連動してシートクッションを回動させるようにした。
【０００６】
具体的には、第１の発明では、前部床面と該前部床面よりも高くなった後部床面とが立ち上がり部を介して連なり、上記前部床面にシートが設けられ、その後方の上記後部床面に後部シートが設けられ、該後部床面の後部シート後方が荷物収容部に形成された車両の後部シート構造を対象とする。
【０００７】
そして、シートクッションと、該シートクッションとは独立して設けられたシートバックと、上記シートクッションが上記後部床面に横たわった使用位置と、後部が起きあがって上記前部床面上で起立した格納位置とに移動するように、該シートクッションの前端を上記前部床面又は立上り部に車幅方向の軸によって回動可能に支持する支持部材と、一端が上記後部床面に、他端が上記シートバックの背面にそれぞれ車幅方向の軸によって回動自在に連結され、該シートバックを上記シートクッションの後端で起立した使用位置と、格納位置にある上記シートクッションに重なるように上記前部床面上で起立した格納位置とに移動自在に支持するリンク部材とを備え、上記シートバックが使用位置から格納位置に移動するときに、使用位置にある上記シートクッションがその後端を上記リンク部材又はシートバックによって押されて起きあがるように、上記リンク部材は、その一端が使用位置にあるときの上記シートクッション下の上記後部床面に連結され、該シートクッションの下方から後方へ延び使用位置にある上記シートバックの背面側で立ち上がっている。
【０００８】
上記の構成によると、それぞれ独立して設けたシートクッション及びシートバックは、支持部材とリンク部材とによって車体に支持されているため、使用位置にあるシートクッション上の乗員を確実に支えることができる。また、この使用位置においては、着座した乗員の足がシートクッションから後部床面よりも低くなった前部床面に向かって降ろされるので、乗員は快適にシートクッション上に着座することができる。
【０００９】
一方、乗員が後部シートを格納位置に移動させるために、シートバックを前方へ押し出すと、シートバックが移動するに伴い該シートバックの背面に連結したリンク部材の後端部も引っ張られ、リンク部材が、シートクッション下の後部床面における車幅方向の軸を中心に前回りに回動される。このリンク部材によって又はシートバックの下端部によって、使用位置にあるシートクッションが、その後端を押されて起きあがり、前部床面又は立上り部に設けた支持部材における車幅方向の軸を中心に前回りに回動される。
【００１０】
そして、格納位置において、シートクッションは、前部床面上に後部が起きあがって起立した状態で保持され、それに重なるようにシートバックが起立状態で保持される。この際、シートバックは、その背面のリンク部材の軸を中心に回動自在に連結されているので、使用位置から格納位置までほぼ起立状態を保ったまま移動する。
【００１１】
したがって、ヘッドレストの取り外し操作を行わなくても後部シートを格納位置に格納できるので、容易に荷物収容部を拡大することができると共に、ヘッドレストを収納するための構造を設ける必要もない。また、支持部材及びリンク部材が、乗員を後部シートに支持する部材と、シートバックを押し出すだけで後部シートを格納させる部材とを兼ねているため、部品点数が少なくなり、製造コストも安い。さらに、後部シートとその前のシートとの間の乗員が足を載置するための前部床面上の空間を後部シートの格納場所として有効に利用することができる。
【００１２】
第２の発明では、使用位置にある上記シートバックの背面側から上記リンク部材を覆うボードを備え、該ボードは、上記シートバックが使用位置から格納位置に移動したときに、上記後部床面上の上記リンク部材を覆うように前方へ倒れて荷積み面の一部を形成するように、上記シートバック下端近傍の上記後部床面に車幅方向の軸によって回動自在に支持されている。
【００１３】
上記の構成によると、後部シートの格納時に、後部床面に回動自在に支持されたボードが、シートバックに連動して前方へ倒れ、格納位置において後部床面上のリンク部材を覆うので、後部床面やリンク部材の形状に関わらず、シートクッション跡の後部床面に荷物収容部に連なる荷積み面が形成され、荷物の出し入れが容易となる。
【００１４】
第３の発明では、上記使用位置において、上記シートクッション下面と上記リンク部材との間に該シートクッションの後端部側を上方へ付勢する付勢手段が設けられている。
【００１５】
上記の構成によると、付勢手段が使用位置におけるシートクッションの後端部側を上方へ付勢して強制的にリンク部材とシートバック下面との間に所定の空間が設けられるので、シートクッションが、シートバックとの干渉を避けながら付勢手段に押され、前回りに回動される。したがって、シートクッションとシートバックとの間の摩擦力に抗してシートバックを押し出す必要がなくなると共に、両者の干渉による移動操作の不具合を無くし、確実にシートクッションを押し上げることができるので、後部シートの格納操作がさらに容易になる。なお、付勢手段は、リンク部材側に設けても、シートクッション側に設けてもよい。
【００１６】
第４の発明では、上記付勢手段は、一端がリンク部材に結合され、他端は使用位置のシートクッション下面に離脱可能に当接し、シートバックをシートクッションと共に格納位置に移動させたとき、シートクッションから離れ、反転したリンク部材と後部床面との間に挟まれてリンク部材を上方へ付勢した状態になる構成とする。
【００１７】
上記の構成によると、使用位置からシートバックが移動するに伴い、使用位置のシートクッション下面に当接していた付勢手段が、シートバックをシートクッションと共に格納位置に移動させたとき、シートクッションから離れ、格納位置の直前でリンク部材と後部床面との間に挟まれ、リンク部材を上方へ付勢して反力を与えるので、格納時の後部シートの自重による衝撃を軽減できる。一方、後部シートを格納位置から使用位置に戻すときには、付勢手段が後部床面を押してリンク部材に上方への反力を付与し、シートバックを持ち上げる操作を補助するので、後部シートの移動がスムーズになる。
【発明の効果】
【００１８】
以上説明したように、上記第１の発明の車両の後部シート構造では、シートバックを移動させるに伴い、リンク部材をシートクッション下の後部床面における車幅方向の軸を中心に回動させ、このリンク部材によって又はシートバックの下端部によって、使用位置にあるシートクッションを、その後端を押して起きあがらせるように、前部床面又は立上り部に設けた支持部材の軸を中心に回動させ、シートクッションを前部床面上に起立させると共に、それに重なるようにシートバックを起立させて格納した。このため、シートバックを移動させるという簡単な操作だけで後部シートを格納でき、容易に荷物収容部を拡大することができる。
【００１９】
上記第２の発明では、シートバックを使用位置から格納位置に移動させたときに、格納位置において、ボードがリンク部材を覆うようにしたため、シートクッション跡の後部床面に荷物収容部と連なる荷積み面が形成され、荷物の出し入れが容易になる。
【００２０】
上記第３の発明では、シートクッション下面とリンク部材との間に設けた付勢手段がシートクッションの後端部側を上方へ付勢するようにしたため、シートクッション及びシートバックを干渉を避けながらスムーズに移動させることができ、後部シートの格納操作を容易に、かつ確実に行うことができる。
【００２１】
上記第４の発明では、後部シートの格納時にシートバックの移動に伴って反転したリンク部材と後部床面との間に挟まれた付勢手段が、後部シートを格納するときの自重による衝撃を軽減すると共に、格納位置から使用位置に切り換えるときに、リンク部材が後回りに回動するのを補助するため、後部シートの位置の切換が容易になる。
【発明を実施するための最良の形態】
【００２２】
以下、本発明の実施形態を図面に基づいて説明する。なお、以下の実施形態は、本質的に好ましい例示であって、本発明、その適用物や用途の範囲を制限することを意図するものではない。
【００２３】
図１及び図２は本願発明の実施形態に係る車両の後部シート構造を示し、後部シート１が、乗員の着座可能な使用位置（図１に示す）と、起立状態で保持される格納位置（図２に示す）とで切換可能に構成されている。
【００２４】
車体の上記後部シート１の後方には、乗員が荷物を出し入れする荷物収容部２が形成されている。車室の床面は、前部床面４と、この前部床面４よりも高くなった後部床面３とが立ち上がり部５を介して連なっている。図示しないが、前部床面４には、前部シート（１列目であっても２列目であってもよい）が設けられている。この前部シート後方の立ち上がり部５近傍の後部床面３には、荷物収容部２側よりも若干低く形成された凹陥部３ａが設けられている。この凹陥部３ａ上に上記後部シート１が設けられ、乗員が足を前部床面４上に載置した状態で後部シート１に着座可能となっている。
【００２５】
上記後部シート１は、後部床面３に横たわったシートクッション６と、このシートクッション６と独立して設けられ、シートクッション６の後端で起立したシートバック７とを備えている。シートバック７の上端部には、ヘッドレスト８が連結され、シートバック７の上側の背面は金属製の補強部材９によって補強されている。
【００２６】
図３にシートクッション６、シートバック７及びヘッドレスト８を省略して示すように、シートクッション６の下方には、上記使用位置におけるシートクッション６の下方から後方へ延び、シートバック７の背面側で立ち上がる２本の棒状のリンク部材１０，１０が設けられている。図１に示すように、リンク部材１０，１０の後端は、上記補強部材９に設けた軸受け状の後側連結ブラケット１２，１２において、車幅方向に延びる連結ボルト１５，１５を中心に前後方向に回動可能に支持されている。各後側連結ブラケット１２には、シートバック７が必要以上に後回りに回動しないように規制するストッパー１３が設けられている。
【００２７】
また、図４に拡大詳示するように、上記後部床面３の凹陥部３ａには、対向する２つの立壁部１４ａを有する軸受け状の前側連結ブラケット１４，１４が設けられており、各リンク部材１０の前端は、上記前側連結ブラケット１４において、車幅方向の軸を中心に前後方向に回動可能に連結されている。
【００２８】
具体的に、上記リンク部材１０の前端には、車幅方向に貫通する貫通孔１０ａが設けられ、この貫通孔１０ａの近傍には、断面Ｌ字状の係合部１０ｂが設けられている。また、前側連結ブラケット１４の立壁部１４ａ，１４ａにも、車幅方向に貫通する貫通孔１４ｂ，１４ｂが設けられている。さらに、上記リンク部材１０の係合部１０ｂに対応する側の前側連結ブラケット１４の立壁部１４ａの内側には、係合部１４ｃが設けられている。そして、リンク部材１０の先端を前側連結ブラケット１４の立壁部１４ａ，１４ａ間に挿入し、リンク部材１０を前回りに付勢するためのコイルバネ１６の各端部を上記両係合部１０ｂ，１４ｃにそれぞれ係合させた状態で、連結ボルト１５が上記両貫通孔１０ａ，１４ｂに挿通されて、ナット１７に締結されるようになっている。このことで、リンク部材１０がコイルバネ１６に付勢された状態で後部床面３の凹陥部３ａに連結固定されている。
【００２９】
一方、図３に示すように、シートクッション６の下方には、該シートクッション６を支える支持部材としてのシートクッションフレーム２０が設けられている。このシートクッションフレーム２０は、例えば金属製のパイプ部材によって構成され、シートクッション６の下面に沿う枠部２１と、この枠部２１の前端から上記前部床面４に向かって延びる２本の直線状の脚部２２，２２とを備えている。
【００３０】
上記立ち上がり部５には、軸受け状の支持ブラケット２３，２３が設けられている。上記各脚部２２に設けた貫通孔と、各支持ブラケット２３に設けた貫通孔（共に図示せず）とに連結ボルト１５を挿通することで、シートクッションフレーム２０（すなわち、シートクッション６）が立ち上がり部５に車幅方向の軸を中心に前後方向に回動可能に連結固定されている。なお、各支持ブラケット２３には、コイルバネ１６は設けられていない。また、支持ブラケット２３，２３は、前部床面４上に設けてもよい。
【００３１】
また、図５にシートクッションフレーム２０の枠部２１を省略して拡大詳示するように、該枠部２１の後端部には、丸棒をＵ字状に折り曲げて形成した引っ掛け部２４が溶接されている。この引っ掛け部２４に対応するように、後部床面３の凹陥部３ａには、係止ブラケット２６がビス部材２５，２５，…で固定されている。この係止ブラケット２６にシートクッションフレーム２０の引っ掛け部２４が離脱可能に係止されている。
【００３２】
上記係止ブラケット２６には、上記引っ掛け部２４に係止可能な鉤部２７が設けられており、該鉤部２７に連結されたワイヤー（図示せず）を引っ張ることで鉤部２７が引っ掛け部２４から離れ、シートクッションフレーム２０が係止ブラケット２６から離脱され、後部シート１の使用位置におけるロック状態を解除できるように構成されている。
【００３３】
このようにして、上記シートクッション６が上記シートクッションフレーム２０に支持されていると共に、シートバック７がリンク部材１０，１０に支持されていることで、シートクッション６上に着座した乗員が該シートバック７を介して支持されるように構成されている。
【００３４】
また、図１及び図２に示すように、上記シートバック７の背面側から、上記リンク部材１０を覆うようにボード３０が配設されている。このボード３０は、矩形板状のもので、下側の両側面に車幅方向に突出するように軸部３１，３１が形成されている。一方、上記使用位置におけるシートバック７の下端部近傍に対応する後部床面３の凹陥部３ａには、ボード支持部３２，３２が配設されており、このボード支持部３２，３２に対してボード３０が上記軸部３１，３１よりなる車幅方向の軸を中心に前後方向に回動可能に連結されている。
【００３５】
なお、図示しないが、ボード３０は、その軸部３１，３１において、上記リンク部材１０，１０の前端と同様に後部床面３の凹陥部３ａのボード支持部３２，３２に対して前回りに回動するように、ボード支持部３２，３２に設けたコイルバネによって付勢されている。
【００３６】
−後部シートの格納動作−
次に、図６を用いて本実施形態に係る後部シート１の格納動作について説明する。まず、乗員は、使用位置（同図に実線で示す）にある後部シート１に対し、係止ブラケット２６に連結されたワイヤーを引っ張って鉤部２７を操作し、シートクッションフレーム２０を係止ブラケット２６から離脱させて後部シート１のロック状態を解除する。このことで、コイルバネ１６，１６に付勢されたリンク部材１０，１０が前端を中心に前回りに若干回動される。このリンク部材１０，１０の上面によって直接的にシートクッション６の下面が押し上げられ、シートクッション６が脚部２２，２２の先端を中心に前回りに若干回動される。
【００３７】
次いで、乗員が手動でシートバック７を前方に押し出す。このとき、シートバック７にリンク部材１０，１０の後端部が引っ張られるとともに、このシートバック７（リンク部材１０，１０）の動きに連動してコイルバネに付勢されたボード３０も前方へ倒される。
【００３８】
そして、上記シートバック７が前方へ移動するにつれて、シートクッション６も、シートバック７の下端部によって押されながら前回りに回動する（同図に二点鎖線で示す）。
【００３９】
最後に、シートバック７、リンク部材１０，１０及びシートクッション６が互いに連動しながら回動され、シートバック７とシートクッション６とが重なり合うように前部床面４上に起立状態で保持される（同図に一点鎖線で示す）。このとき、後側連結ブラケット１２に設けたストッパー１３により、シートバックは必要以上に後回りに回動しないように規制されている。また、荷積み面の一部を形成するように、ボード３０がリンク部材１０，１０を覆う。
【００４０】
このようにして、シートクッション６跡の上記後部床面３に略面一な荷積み面が形成される。
【００４１】
−本実施形態の効果−
上記実施形態に係る車両の後部シート構造では、シートバック７を移動させるに伴い、リンク部材１０，１０をシートクッション６下の後部床面３における車幅方向の軸を中心に前回りに回動させ、このリンク部材１０，１０によって又はシートバック７の下端部によって、使用位置にあるシートクッション６をその後端を押して起きあがらせるように、シートクッションフレーム２０の脚部２２，２２の先端を中心に前回りに回動させ、シートクッション６を前部床面４上に起立させると共に、それに重なるようにシートバック７を起立させて格納した。このため、シートバック７を移動させるという簡単な操作だけで後部シート１を格納でき、容易に荷物収容部２を拡大することができる。
【００４２】
また、シートバック７が使用位置から格納位置に移動されるときに、シートバック７に連動して前方へ倒されたボード３０が、格納位置において、リンク部材１０，１０を覆うようにした。このため、後部シート１が移動した跡の後部床面３に略面一な荷積み面が形成され、荷物の出し入れが容易になる。
【００４３】
（その他の実施形態）
本発明は、上記実施形態について、以下のような構成としてもよい。
【００４４】
図７はその他の実施形態に係る車両の後部シート構造を示し、ボード３０が設けられていない点等で上記実施形態と異なる。すなわち、本実施形態では、リンク部材１０において、側面から見たときの折れ曲がり部分の円弧の半径を上記実施形態のものよりも小さくしている。このことで、格納位置でのリンク部材１０，１０の上方への出っ張りが小さくなるので、後部床面３の凹陥部３ａを浅くすることができると共に、ボード３０がなくても格納位置での後部床面には、略面一な荷積み面が形成される。したがって、後部シート構造の部品点数を減らすことができる。
【００４５】
図８はさらに別の実施形態を示し、付勢手段としてのアシストバネ３５，３５が設けられている点で上記実施形態と異なる。すなわち、使用位置において、シートクッション６下面とリンク部材１０，１０との間には、アシストバネ３５，３５が設けられている。つまり、このアシストバネ３５は、一端がリンク部材１０に結合され、他端は使用位置のシートクッション６下面に離脱可能に当接している。
【００４６】
そして、アシストバネ３５，３５は、シートバック７をシートクッション６と共に格納位置に移動させたとき、シートクッション６から離れ、反転したリンク部材１０，１０と後部床面３の凹陥部３ａとの間に挟まれてリンク部材１０，１０を上方へ付勢した状態になるように構成されている。
【００４７】
したがって、本実施形態に係る後部シート構造によると、シートクッション６下面とリンク部材１０，１０との間に設けたアシストバネ３５，３５がシートクッション６の後端部側を上方へ付勢するようにしたため、干渉を避けながらスムーズにシートクッション６及びシートバック７を移動させることができ、格納操作がさらに容易になる。
【００４８】
また、格納位置において、リンク部材１０，１０と後部床面３の凹陥部３ａとの間に挟まれたアシストバネ３５，３５が、後部シート１を格納するときの自重による衝撃を軽減すると共に、使用位置に切り換えるときに、リンク部材１０，１０が後回りに回動するのを補助するため、後部シート１の位置の切換が容易になる。
【００４９】
上記各実施形態では、リンク部材１０，１０として２枚の細長い棒状のものを車幅方向に間隔を空けて平行に配置したが、１枚の平らな板状のものを折り曲げて構成してもよい。
【００５０】
また、上記別の実施形態において、各前側連結ブラケット１４のコイルバネ１６及びアシストバネ３５，３５を弾性力の強いものとすれば、係止ブラケット２６に連結されたワイヤーを引っ張って鉤部２７を操作して、シートクッションフレーム２０を係止ブラケット２６から離脱させるだけで、その後は自動的に格納位置に移動できるようにすることも可能である。
【００５１】
さらに、リンク部材や支持部材（シートクッションフレーム）の形状などは、本願発明の趣旨を逸脱しない範囲で様々な変更が可能である。
【産業上の利用可能性】
【００５２】
以上説明したように、本発明は、乗員が着座可能な使用位置と、荷物収容部を拡げる格納位置とで切換可能な車両の後部シート構造について有用である。
【図面の簡単な説明】
【００５３】
【図１】本発明の実施形態に係る車両の後部シート構造における使用位置を示す斜視図である。
【図２】格納位置を示す図１相当図である。
【図３】シートクッションとシートバックとを省略した使用位置にある車両の後部シート構造を前側から見た斜視図である。
【図４】前側連結ブラケットの拡大斜視図である。
【図５】係止ブラケットの拡大斜視図である。
【図６】後部シートを格納する様子を示す側面図である。
【図７】その他の実施形態に係る車両の後部シート構造の図６相当図である。
【図８】別の実施形態に係る車両の後部シート構造の図６相当図である。
【符号の説明】
【００５４】
１      後部シート
２      荷物収容部
３      後部床面
４      前部床面
５      立ち上がり部
６      シートクッション
７      シートバック
１０      リンク部材
２０      シートクッションフレーム（支持部材）
３０      ボード
３５      アシストバネ（付勢手段）
【図１】
2005170204.tif 000003
【図２】
2005170204.tif 000004
【図３】
2005170204.tif 000005
【図４】
2005170204.tif 000006
【図５】
2005170204.tif 000007
【図６】
2005170204.tif 000008
【図７】
2005170204.tif 000009
【図８】
2005170204.tif 000010